(57)【要約】【課題】メイン基板の不正交換に対するセキュリティ性を高めることができる遊技機を提供すること。【解決手段】メイン基板ボックス７２には操作キー７９が装着されている。この操作キー７９はメイン基板ボックス７２をメインセット５３にロックおよびロック解除するものであり、上皿板４は操作キー７９を視覚的に認識不能に覆っている。この構成の場合、操作キー７９の所在を認識している検査者は操作キー７９を操作することができ、操作キー７９の所在を認識していない違法行為者は操作キー７９を操作することができない。このため、検査者はメイン基板ボックス７２を取外すことができ、違法行為者はメイン基板ボックス７２を取外すことができないので、メイン基板８２の効率的な検査が可能になる上にメイン基板８２の不正交換に対するセキュリティ性が高まる。【選択図】　図１
2004033242.tif 000002
【特許請求の範囲】
【請求項１】
制御基板が収納された制御基板ボックスと、
前記制御基板ボックスを基台にロックするロック状態および前記制御基板ボックスのロックを解除するロック解除状態に操作可能な第１の操作部材とを備え、前記第１の操作部材は、外部に露出しない状態にされていることを特徴とする遊技機。
【請求項２】
基台に対して相対的に移動可能に設けられ、第１の操作部材を覆う第１のカバー部材を備え、
前記第１の操作部材は、前記第１のカバー部材を前記基台に対して相対的に移動操作することに基づいて操作可能に露出することを特徴とする請求項１記載の遊技機。
【請求項３】
第１のカバー部材の基台に対する相対的な移動をロックするロック状態および第１のカバー部材の基台に対する相対的な移動をロック解除するロック解除状態に操作可能な第２の操作部材を備えたことを特徴とする請求項２記載の遊技機。
【請求項４】
第２の操作部材の操作を許容する開放状態および第２の操作部材の操作を禁止する閉鎖状態に移動可能な第２のカバー部材を備えたことを特徴とする請求項３記載の遊技機。
【発明の詳細な説明】
【０００１】
【発明の属する技術分野】
本発明は、制御基板が収納された制御基板ボックスを有する遊技機に関する。
【０００２】
【従来の技術】
上記遊技機には、図１８に示すように、外枠２０１に前扉２０２を回動可能に装着し、前扉２０２の後面側に制御基板ボックス２０３を装着した構成のものがある。この制御基板ボックス２０３内には制御基板が収納されており、制御基板をパチンコホールの営業中に検査するときには前扉２０２を前方から手前側に回動操作し、制御基板ボックス２０３を前扉２０２の開放状態で前方から取外している。この前扉２０２の後面側には制御基板ボックス２０３を含んだ多数の裏部品が装着されており、前扉２０２は制御基板の検査時に加えて残りの裏部品の保守・点検時にも開放される。
【０００３】
【発明が解決しようとする課題】
上記遊技機の場合、前扉２０２をパチンコホールの営業中に開放する頻度が高いので、前扉２０２を不正に開放して制御基板を制御基板ボックス２０３ごと交換する違法行為に周囲の人達が気付かない虞れがある。この違法行為は制御基板ボックス２０３を前扉２０２に着脱不能に固定することで防止できるが、制御基板ボックス２０３を前扉２０２に固定した場合には制御基板の検査を効率的に行うことができない。
本発明は上記事情に鑑みてなされたものであり、その目的は、制御基板の検査を効率的に行うことができ、しかも、制御基板の不正交換に対するセキュリティ性を高めることができる遊技機を提供することにある。
【０００４】
【課題を解決するための手段】
請求項１に係る発明は、制御基板が収納された制御基板ボックスと、前記制御基板ボックスを基台にロックするロック状態および前記制御基板ボックスのロックを解除するロック解除状態に操作可能な第１の操作部材とを備え、前記第１の操作部材が外部に露出しない状態にされているところに特徴を有している。
上記発明によれば、第１の操作部材が外部に露出していないので、第１の操作部材の所在を認識している検査者は第１の操作部材を操作することができ、第１の操作部材の所在を認識していない違法行為者は第１の操作部材を操作することができない。このため、検査者は制御基板ボックスを取外すことができ、違法行為者は制御基板ボックスを取外すことができないので、制御基板の効率的な検査が可能になる上に制御基板の不正交換に対するセキュリティ性が高まる。
【０００５】
請求項２に係る発明は、基台に対して相対的に移動可能に設けられ第１の操作部材を覆う第１のカバー部材を備え、前記第１のカバー部材を前記基台に対して相対的に移動操作することに基づいて前記第１の操作部材が操作可能に露出するところに特徴を有している。尚、第１のカバー部材の基台に対する相対的な移動とは回動およびスライド等の案内部材に沿う移動は勿論のこと、第１のカバー部材または基台を取外して移動することも含む。また、第１のカバー部材の相対的な移動に基づいて状態が切換わる第１のスイッチを設け、第１のスイッチからの出力信号に基づいて第１のカバー部材の相対的な移動操作が検出されたときには報知手段を用いて第１のカバー部材の相対的な移動操作を報知しても良い。
上記発明によれば、制御基板ボックスを取外すには第１のカバー部材を相対的に移動操作することに基づいて第１の操作部材を開放し、第１の操作部材をロック状態からロック解除状態に操作する。このため、制御基板ボックスを交換しようとしたときには第１のカバー部材を相対的に移動操作する必要ができるので、制御基板ボックスの交換作業が周囲の人に目立つようになる。従って、制御基板ボックスの交換作業に周囲の人が容易に気付くようになるので、制御基板の不正交換に対するセキュリティ性が一層高まる。
【０００６】
請求項３に係る発明は、第１のカバー部材の基台に対する相対的な移動をロックするロック状態および第１のカバー部材の基台に対する相対的な移動をロック解除するロック解除状態に操作可能な第２の操作部材を備えたところに特徴を有している。
上記発明によれば、第１のカバー部材を基台に対して相対的に移動操作するには第２の操作部材をロック解除状態に操作しなければならないので、第１のカバー部材の相対的な移動操作が面倒になる。このため、制御基板ボックスの交換作業が一層困難になるので、制御基板の不正交換に対するセキュリティ性が一層高まる。
【０００７】
請求項４に係る発明は、第２の操作部材の操作を許容する開放状態および第２の操作部材の操作を禁止する閉鎖状態に移動可能な第２のカバー部材を備えたところに特徴を有している。この場合、第２のカバー部材の開閉に基づいて状態が切換わる第２のスイッチを設け、第２のスイッチからの出力信号に基づいて第２のカバー部材の開放が検出されたときには報知手段を用いて第２のカバー部材の開放を報知しても良い。
上記発明によれば、第２の操作部材を操作するには第２のカバー部材を開放状態に操作し、第２の操作部材を開放しなければならない。このため、制御基板ボックスを交換しようとしたときには第１のカバー部材に加えて第２のカバー部材を開放する必要ができるので、制御基板ボックスの交換作業が周囲の人に一層目立つようになる。従って、制御基板ボックスの交換作業に周囲の人が一層容易に気付くようになるので、制御基板の不正交換に対するセキュリティ性が一層高まる。
【０００８】
【発明の実施の形態】
以下、本発明の第１実施例を図１〜図１２に基づいて説明する。パチンコホールの台島には、図７に示すように、外枠１が設置されている。この外枠１は前後面が開口する四角筒状をなすものであり、外枠１の前面には前面扉２が左側辺部の垂直な軸（図示せず）を中心に回動可能に装着されている。この前面扉２は外枠１の前面開口部を開閉する矩形枠状をなすものであり、前面扉２の内周面にはコ字状の金枠３が固定されている。
【０００９】
金枠３には横長な長方形状の上皿板４が左側辺部の垂直な軸（図示せず）を中心に回動可能に装着されており、上皿板４の前面には上皿５が固定されている。この上皿５は賞品球として払出されるパチンコ球を貯溜するものであり、上皿５の左端部には複数のスリット６が形成されている。尚、上皿板４は第１のカバー部材に相当するものである。
【００１０】
上皿板４の後面には右端部に位置して支持プレート７が固定されている。この支持プレート７は前後方向へ延びる平板状をなすものであり、支持プレート７の上下端部には、図４に示すように、ピン８が固定されている。これら両ピン８の外周面にはロックプレート９の長孔１０が嵌合されており、ロックプレート９は両ピン８に沿って上下方向へスライド可能にされている。このロックプレート９と支持プレート７との間にはロックスプリング（図示せず）が介在されており、ロックプレート９はロックスプリングの復元力で上方へ付勢されている。
【００１１】
ロックプレート９には後方へ延びる平板状のフック１１が形成されており、フック１１はロックスプリングの復元力でロック突部１２に係合したロック状態に保持されている。このロック突部１２は前面扉２の金枠３に固定されたものであり、上皿板４はフック１１およびロック突部１２間の係合力で前面扉２の開口部を閉鎖する閉鎖状態にロックされている。
【００１２】
ロックプレート９の上端部には水平な平板状の操作プレート１３が形成されており、操作プレート１３は、実線で示すように、上皿板４が閉鎖状態にロックされた状態で上方へ移動したロック状態に保持されている。この操作プレート１３は第２の操作部材に相当するものであり、操作プレート１３が下方へ押圧されたロック解除状態に操作されたときには、二点鎖線で示すように、フック１１がロック突部１２から外れることに基づいて上皿板４がアンロック状態になり、上皿板４を前方へ回動した開放状態に操作することが可能になる。
【００１３】
フック１１には傾斜面１４が形成されており、上皿板４を開放状態から後方へ回動操作したときには傾斜面１４がロック突部１２より押圧されることに基づいてロックプレート９が下方へスライドし、フック１１がロックスプリングの復元力でロック突部１２に係合することに基づいて上皿板４が閉鎖状態に復帰する。尚、符号１５は支持プレート７，両ピン８，ロックプレート９，ロックスプリング，フック１１，ロック突部１２，操作プレート１３を有するロック機構を示している。
【００１４】
前面扉２の後面には、図１の（ａ）に示すように、機構盤１６が固定されており、機構盤１６には、図５に示すように、空間状の遊技盤保持部１７が形成されている。この遊技盤保持部１７は、図６に示すように、遊技盤１８を保持するものであり、遊技盤１８は遊技盤保持部１７内に対して前方から着脱可能にされている。また、機構盤１６の下端部には、図５に示すように、横長な長方形状の座板１９が固定されており、座板１９の左端部にはスピーカ２０が固定されている。このスピーカ２０は上皿板４の閉鎖状態でスリット６の後方に位置するものであり、スピーカ２０の駆動時にはスピーカ２０からスリット６を通して前方の遊技者に効果音が出力される。
【００１５】
前面扉２の前面には、図６に示すように、右下隅部に位置してハンドル台２１が固定されており、ハンドル台２１には発射ハンドル２２が回動可能に装着されている。この発射ハンドル２２の後方には、図８に示すように、発射モータ２３が装着されており、発射モータ２３の回転軸には、図１１に示すように、打球装置２４を介して打球槌２５が連結されている。この発射モータ２３は打球装置２４の駆動源に相当するものであり、発射ハンドル２２が図６の時計回り方向へ回動操作されたときには発射モータ２３に電源が与えられ、打球装置２４が打球槌２５を軸２６を中心に回動操作する。この打球槌２５はパチンコ球を遊技盤１８内に発射するものであり、打球槌２５の先端部にはパチンコ球を叩く打球部としてハンマスプリング２７が固定されている。
【００１６】
打球装置２４はカム機構を有している。このカム機構は発射モータ２３の回転軸に連結された偏平な半円形状のカム２８および打球槌２５に連結されたローラ状のカムフォロワ２９を主体に構成されたものであり、発射モータ２３の回転位相角が「０°〜１８０°」の範囲内では、破線で示すように、カム２８がカムフォロワ２９を矢印Ａ方向へ押圧することに基づいて打球槌２５を軸２６を中心に矢印Ａ方向の待機位置に回動操作し、発射モータ２３の回転位相角が「１８０°〜３６０°」の範囲内ではカム２８がカムフォロワ２９から離間する。この打球槌２５の矢印Ａ方向への回動は巻ばね３０の付勢力に抗して行われるものであり、カム２８がカムフォロワ２９から離間したときには、実線で示すように、打球槌２５が巻ばね３０の復元力により待機位置から反矢印Ａ方向の原点位置に復帰する。
【００１７】
座板１９の前面には、図５に示すように、発射レール３１が固定されている。この発射レール３１は右方から左方へ向って上昇する平板状をなすものであり、発射レール３１の右端部にはストッパ３２が折曲形成されている。このストッパ３２には開口部（図示せず）が形成されており、打球槌２５が原点位置に回動した状態では打球槌２５のハンマスプリング２７がストッパ３２の開口部内に侵入する。
【００１８】
座板１９には球送り機構（図示せず）が装着されている。この球送り機構は打球槌２５と共通の発射モータ２３を駆動源とするものであり、打球槌２５が矢印Ａ方向の待機位置に回動するタイミングで上皿５内から発射レール３１の上面に１個のパチンコ球を供給する。このパチンコ球の供給は発射レール３１のうちストッパ３２の直前に対して行われるものであり、ハンマスプリング２７は打球槌２５が待機位置から原点位置に復帰するときに発射レール３１上のパチンコ球を叩き、発射レール３１の傾斜に沿って左端部から発射する。
【００１９】
金枠３には、図７に示すように、矩形状の窓枠３３が左側辺部の垂直な軸（図示せず）を中心に回動可能に装着されており、窓枠３３の内周面には透明なガラス窓３４が保持されている。また、前面扉２には右側部に位置して枠鍵３５が装着されている。この枠鍵３５は前面扉２を外枠１の前端面に密着した閉鎖状態にロックし、窓枠３３を金枠３の内周面に嵌合した閉鎖状態にロックするものであり、窓枠３３の閉鎖状態では遊技盤１８が前方からガラス窓３４により覆われる。尚、ガラス窓３４は第２のカバー部材に相当するものである。
【００２０】
枠鍵３５には鍵（図示せず）が付属品として添付されており、前面扉２のロックは枠鍵３５内に鍵を挿入して時計回り方向へ回動操作することに基づいて解除され、窓枠３３のロックは鍵を反時計回り方向へ回動操作することに基づいて解除される。この窓枠３３のロック解除状態で窓枠３３を前方へ回動操作したときには上皿板４の上方からガラス窓３４が除去され、上皿板４の後面側に上方から指を挿入することが可能になる。即ち、上皿板４は窓枠３３およびガラス窓３４の開放状態で操作プレート１３を指で操作することに基づいて開放状態に操作されるものであり、枠鍵３５はガラス窓３４を閉鎖状態にロックするロック機構に相当する。
【００２１】
遊技盤１８の前面には、図６に示すように、外レール３６および内レール３７が固定されている。これら外レール３６および内レール３７間には発射通路３８が形成されており、打球槌２５が叩いたパチンコ球は発射レール３１の左端部から発射通路３８内に侵入する。そして、発射通路３８内を上昇し、発射通路３８の出口３９から遊技盤１８内の上部に左側から放出される。この遊技盤１８の前面には複数の障害釘（図示せず）が打込まれており、遊技盤１８内の上部に放出されたパチンコ球は障害釘に当りながら落下する。
【００２２】
遊技盤１８には左上隅部および右上隅部に位置して三角形状のランプカバー４０が固定されている。これら各ランプカバー４０の後方には複数のランプ４１　（図１２参照）が固定されており、各ランプカバー４０は後方のランプ４１が点灯することに基づいて発光する。また、遊技盤１８には、図６に示すように、表示台板４２が固定されており、表示台板４２にはカラー液晶表示器からなる図柄表示装置４３が固定されている。この図柄表示装置４３は横長な長方形状の表示領域ＨＥを有するものであり、表示領域ＨＥ内には左図柄，中図柄，右図柄として識別図柄に相当する数字図柄が表示される。
【００２３】
遊技盤１８には表示台板４２の下方に位置して特別図柄始動口４４が固定されている。この特別図柄始動口４４は上面が開口するポケット状をなすものであり、特別図柄始動口４４内には始動口センサ４５（図１２参照）が固定されている。この始動口センサ４５は近接スイッチからなるものであり、特別図柄始動口４４内にパチンコ球が入賞したことを検出して始動信号を出力する。
【００２４】
遊技盤１８には、図６に示すように、特別図柄始動口４４の下方に位置して入賞口台板４６が固定されており、入賞口台板４６には前面が開口する四角筒状の大入賞口４７が形成されている。また、入賞口台板４６には扉４８が下端部の水平な軸４９を中心に回動可能に装着されており、大入賞口４７の前面は扉４８が垂直な閉鎖状態に回動することに基づいて閉鎖され、扉４８が前方に倒れた水平状態に回動することに基づいて開放される。
【００２５】
入賞口台板４６の後面には大入賞口ソレノイド５０（図１２参照）が固定されている。この大入賞口ソレノイド５０のプランジャには扉４８が機械的に連結されており、扉４８は大入賞口ソレノイド５０のプランジャが進退することに基づいて開放状態および閉鎖状態に回動操作される。また、大入賞口４７内には入賞口センサ５１（図１２参照）が固定されている。この入賞口センサ５１は近接スイッチからなるものであり、大入賞口４７内にパチンコ球が入賞したことを検出して入賞信号を出力する。
【００２６】
遊技盤１８の後面には、図８に示すように、正方形状のセンタカバー５２が配設されている。このセンタカバー５２は前面が開口する容器状をなすものであり、センタカバー５２の外周部には矩形枠状のメインセット５３が配設されている。このメインセット５３は前面扉２の後面に機構盤１６の外周部に位置して固定されたものであり、メインセット５３の後面には左側部に位置してＬ字状をなす２個のブラケット５４が固定され、両ブラケット５４には垂直なシャフト５５が回動可能に装着されている。これら両シャフト５５はセンタカバー５２に固定されたものであり、センタカバー５２は左側部の両シャフト５５を中心に回動可能にされている。尚、メインセット５３は基台に相当するものである。
【００２７】
メインセット５３には右側部に位置して２個のロックプレート５６が装着されている。これら各ロックプレート５６はロックプレート５６を通してメインセット５３にピン５７を装着することに基づいて回動可能にされたものであり、摩擦抵抗力で現在位置に保持されている。また、センタカバー５２の右側部には平板状の突部５８が形成されており、両ロックプレート５６が突部５８に垂直に乗上げたロック状態にあるときには、図１０に実線で示すように、センタカバー５２が遊技盤１８の後面を覆う閉鎖状態にロックされている。この状態で両ロックプレート５６が水平なロック解除状態に回動操作されたときには両ロックプレート５６による突部５８のロックが解除され、図１０に二点鎖線で示すように、センタカバー５２を傾斜した開放状態に回動操作することが許容される。
【００２８】
メインセット５３の後面には、図８に示すように、上端部に位置して球タンク５９が固定されている。この球タンク５９は上面が開口する容器状をなすものであり、球タンク５９内にはパチンコ球が貯溜されている。また、メインセット５３の後面にはタンクレール６０が固定されている。このタンクレール６０は傾斜樋状をなすものであり、タンクレール６０の右端部は球タンク５９内に接続されている。
【００２９】
メインセット５３の左側部には賞球ケース６１が固定されている。この賞球ケース６１は球タンク５９内のパチンコ球がタンクレール６０内を通して供給されるものであり、賞球ケース６１内には賞球払出機構（図示せず）が収納されている。この賞球払出機構は払出モータ６２（図１２参照）を駆動源とするものであり、払出モータ６２はパチンコ球が特別図柄始動口４４内および大入賞口４７内に入賞することに基づいて駆動し、賞球ケース６１内から下方へパチンコ球を放出する。
【００３０】
メインセット５３には下皿通路（図示せず）が設けられている。この下皿通路の上端部は賞球ケース６１に接続されており、賞球ケース６１内から放出されるパチンコ球は下皿通路内を落下する。また、下皿通路の途中部分には上皿通路　（図示せず）が設けられている。この上皿通路は上皿５に接続されており、賞球ケース６１内から放出されるパチンコ球は下皿通路内から上皿通路内に転がり込み、上皿通路内を通して上皿５内に賞品球として払出される。また、前面扉２には、図６に示すように、下皿６３が固定されている。この下皿６３は下皿通路の下端部に接続されたものであり、パチンコ球が上皿５内から溢れて上皿通路内に充満した状態では下皿通路の下端部を通して下皿６３内に払出される。
【００３１】
メインセット５３の後面には、図９に示すように、左右方向中央部に位置して払出基板ボックス６４が固定されている。この払出基板ボックス６４は払出基板（図示せず）が収納されたものであり、払出基板には、図１２に示すように、払出制御装置６５が搭載されている。この払出制御装置６５はマイクロコンピュータを主体に構成されたものであり、払出制御装置６５にはモータ駆動回路６６を介して払出モータ６２が電気的に接続されている。このモータ駆動回路６６は払出基板に搭載されたものであり、払出制御装置６５はモータ駆動回路６６を通して払出モータ６２を駆動制御し、上皿５内にパチンコ球を賞品球として払出す。
【００３２】
メインセット５３の後面には、図８に示すように、払出基板ボックス６４の後方に位置して座板６７が固定されている。この座板６７には、図１に示すように、複数の係合孔６８が形成されており、複数の係合孔６８内には複数の係合突部６９が後方から係合されている。これら複数の係合突部６９は横長な長方形状のボックスベース７０に形成されたものであり、ボックスベース７０には横長な長方形状のボックスカバー７１が着脱可能に被せられている。これらボックスベース７０およびボックスカバー７１は横長な長方形状をなす中空状のメイン基板ボックス７２を構成するものであり、メイン基板ボックス７２は、図９に示すように、払出基板ボックス６４の後方に重ねて配置されている。尚、メイン基板ボックス７２は制御基板ボックスに相当するものである。
【００３３】
メイン基板ボックス７２の右端部には、図２に示すように、複数のカシメ孔７３が形成されており、複数のカシメ孔７３のうち１個には合成樹脂製のカシメピン（図示せず）が着脱不能に装着されている。このカシメピンはボックスベース７０およびボックスカバー７１間を分解不能に連結するものであり、ボックスベース７０およびボックスカバー７１間を分解するにはカシメピンを切断することに基づいてボックスベース７０およびボックスカバー７１間の連結を解除し、ボックスベース７０およびボックスカバー７１間を再び連結するには新たなカシメ孔７３内に新たなカシメピンを装着する。
【００３４】
ボックスベース７０の右端部には円筒状のシャフト７４が固定されている。このシャフト７４は、図１の（ａ）に示すように、ボックスベース７０を通してシャフト７４の内周面にピン７５を嵌合することに基づいて回転不能にされたものであり、シャフト７４の前端部は座板６７のキー孔７６およびメインセット５３のキー孔７６を通して座板１９のキー孔７６内に挿入されている。これら各キー孔７６は、図１の（ｂ）に示すように、横長な長方形状のキー挿通部７７および円形状のシャフト挿通部７８を重ね合せた形状に設定されたものであり、シャフト７４はキー孔７６のシャフト挿通部７８内に挿入されている。
【００３５】
シャフト７４の前端部には、図１の（ａ）に示すように、操作キー７９が装着されており、操作キー７９は前方から上皿板４により視覚的に認識不能に覆われている。この操作キー７９は操作キー７９を通してシャフト７４の内周面にピン８０を嵌合することに基づいてシャフト７４に対して回転可能にされたものであり、回転方向の操作力が作用していない状態では摩擦抵抗力で現在位置に保持される。この操作キー７９は、図１の（ｂ）に示すように、キー孔７６を縮小した相似形状をなすものであり、横長な長方形状のキー部８０および円形状のシャフト部８１を有している。
【００３６】
操作キー７９はメイン基板ボックス７２の取外しを許容および禁止する第１の操作部材に相当するものであり、操作キー７９が垂直なロック状態にあるときには、図１の（ｂ）に示すように、キー部８０が座板１９の前面に係合し、メイン基板ボックス７２が取外されることが禁止される。また、操作キー７９を水平なロック解除状態に回動操作した後にメイン基板ボックス７２を引張ると、操作キー７９が座板１９のキー孔７６，メインセット５３のキー孔７６，座板６７のキー孔７６を通して抜取られ、メイン基板ボックス７２がメインセット５３から取外される。このメイン基板ボックス７２の取外し手順を下記▲１▼〜▲４▼に示す。
【００３７】
▲１▼枠鍵３５を鍵で操作し、前面扉２のロックを解除する。このロック解除状態で前面扉２を前方から開放状態に回動操作し、メイン基板ボックス７２を前方から着脱可能な状態に開放する。
▲２▼枠鍵３５を鍵で操作し、窓枠３３のロックを解除する。このロック解除状態で窓枠３３を前方から開放状態に回動操作し、操作プレート１３を前方から操作可能な状態に開放する。
▲３▼操作プレート１３を下方へ押圧操作し、上皿板４のロックを解除する。このロック解除状態で上皿板４を前方から開放状態に回動操作し、操作キー７９を前方から操作可能な状態に開放する。
▲４▼操作キー７９を前方から水平な解除状態に操作し、メイン基板ボックス７２を前方から取外す。
【００３８】
メイン基板ボックス７２内には、図１の（ａ）に示すように、メイン基板８２が収納されており、メイン基板８２には、図１２に示すように、メイン制御装置８３が搭載されている。このメイン制御装置８３はマイクロコンピュータを主体に構成されたものであり、始動口センサ４５および入賞口センサ５１はセンサ出力回路８４を介してメイン制御装置８３に電気的に接続されている。このセンサ出力回路８４はメイン基板８２に搭載されたものであり、メイン制御装置８３は始動口センサ４５からの始動信号および入賞口センサ５１からの入賞信号をセンサ出力回路８４を介して検出する。尚、メイン基板８２は制御基板に相当するものである。
【００３９】
払出制御装置６５にはメイン制御装置８３が電気的に接続されており、メイン制御装置８３は始動口センサ４５からの始動信号および入賞口センサ５１からの入賞信号を検出することに基づいて払出制御装置６５に賞球コマンドおよび賞球データを送信する。すると、払出制御装置６５は賞球コマンドおよび賞球データを検出することに基づいて払出モータ６２を駆動し、賞球ケース６１内から上皿５内に賞球データに応じた個数のパチンコ球を賞品球として払出す。
【００４０】
大入賞口ソレノイド５０はソレノイド駆動回路８５を介してメイン制御装置８３に電気的に接続されている。このソレノイド駆動回路８５はメイン基板８２に搭載されたものであり、メイン制御装置８３は大入賞口ソレノイド５０をソレノイド駆動回路８５を介して駆動制御し、大入賞口４７の扉４８を回動操作する。
【００４１】
遊技盤１８の後面には、図８に示すように、図柄基板ボックス８６が固定されており、図柄基板ボックス８６内には図柄基板８７が収納されている。この図柄基板ボックス８６はセンタカバー５２により後方から覆われたものであり、図柄基板８７には、図１２に示すように、マイクロコンピュータを主体に構成された図柄制御装置８８が搭載されている。この図柄制御装置８８はメイン制御装置８３に電気的に接続されたものであり、図柄制御装置８８にはメイン制御装置８３から表示制御コマンドおよび表示制御データが送信される。
【００４２】
図柄制御装置８８にはＬＣＤ駆動回路８９を介して図柄表示装置４３が電気的に接続されている。このＬＣＤ駆動回路８９は図柄基板８７に搭載されたものであり、図柄制御装置８８はメイン制御装置８３からの表示制御コマンドおよび表示制御データを検出することに基づいてＬＣＤ駆動回路８９を駆動制御し、図柄表示装置４３に表示制御コマンドおよび表示制御データに応じた動画面を表示する。
【００４３】
遊技盤１８の後面には、図８に示すように、図柄基板ボックス８６の右側部に位置して縦長な長方形状の音ランプ基板ボックス９０が固定されている。この音ランプ基板ボックス９０内には音基板９１が収納されており、音基板９１には、図１２に示すように、マイクロコンピュータを主体に構成されたスピーカ制御装置９２が搭載されている。このスピーカ制御装置９２はメイン制御装置８３に電気的に接続されたものであり、スピーカ制御装置９２にはメイン制御装置８３からスピーカ制御コマンドおよびスピーカ制御データが送信される。
【００４４】
スピーカ制御装置９２にはスピーカ駆動回路９３を介してスピーカ６が電気的に接続されている。このスピーカ駆動回路９３は音基板９１に搭載されたものであり、スピーカ制御装置９２はスピーカ駆動回路９３を通してスピーカ６から効果音を出力する。この効果音の出力はスピーカ制御装置９２がメイン制御装置８３からのスピーカ制御コマンドおよびスピーカ制御データを検出することに基づいて行うものであり、スピーカ６の駆動時にはスピーカ６からスピーカ制御データに応じた効果音が出力される。
【００４５】
音ランプ基板ボックス９０内には、図８に示すように、ランプ基板９４が収納されており、ランプ基板９４には、図１２に示すように、マイクロコンピュータを主体に構成されたランプ制御装置９５が搭載されている。このランプ制御装置９５はメイン制御装置８３に電気的に接続されたものであり、ランプ制御装置９５にはメイン制御装置８３からランプ制御コマンドおよびランプ制御データが送信される。
【００４６】
ランプ制御装置９５にはランプ駆動回路９６を介して複数のランプ４１が電気的に接続されている。このランプ駆動回路９６はランプ基板９４に搭載されたものであり、ランプ制御装置９５はランプ駆動回路９６を通して複数のランプ４１を点灯制御する。この点灯制御はランプ制御装置９５がメイン制御装置８３からのランプ制御コマンドおよびランプ制御データを検出することに基づいて行うものであり、ランプ４１の駆動時にはランプカバー４０がランプ制御データに応じた態様で電飾される。
【００４７】
尚、図７および図８の符号９７は外枠１，前面扉２，金枠３，上皿板４，上皿５，機構盤１６，遊技盤１８，座板１９，ハンドル台２１，発射ハンドル２２，窓枠３３，ガラス窓３４，枠鍵３５，センタカバー５２，メインセット５３，球タンク５９，タンクレール６０，下皿６３，座板６７を有するパチンコ機本体を示すものであり、パチンコ機本体９７は遊技機本体に相当する。
【００４８】
次に上記構成の作用について説明する。
遊技者が上皿５内にパチンコ球を投入して発射ハンドル２２を時計回り方向へ回動操作すると、遊技盤１８内にパチンコ球が発射され、障害釘に当りながら落下する。この状態では図柄表装置４３に左，中，右の各列の図柄として「１，２，３，４，５，６，７，８，９，１０，１１，１２」のいずれかの数字が静止状態で表示されており、パチンコ球が特別図柄始動口４４内に入賞すると、賞球ケース６１から設定個数（例えば５個）のパチンコ球が上皿５内に賞品球として払出され、特別図柄遊技が開始される。この特別図柄遊技は図柄表示装置４３の静止図柄を変動表示することに基づいて行われるものであり、特別図柄遊技の概略は次の通りである。
【００４９】
パチンコ球が特別図柄始動口４４内に入賞すると、メイン制御装置８３は始動口センサ４５からの始動信号を検出し、大当りおよび外れの判定処理を行う。この判定処理は始動信号の時間的な検出タイミングが大当りタイミングに該当するか否かを判断するものであり、始動信号の検出タイミングが大当りタイミングに該当するときには大当りと判定され、始動信号の検出タイミングが大当りタイミングに該当しないときには外れと判定される。
【００５０】
メイン制御装置８３は大当りおよび外れの判定処理を終えると、大当りの判定時には大当り図柄を設定し、外れの判定時には外れ図柄を設定する。これら大当り図柄および外れ図柄は大当りおよび外れの判定結果を遊技者に報知するための３列の組合わせ図柄を称するものであり、大当り図柄は左列，中列，右列が全て同一の組合わせ図柄であり、外れ図柄は左列，中列，右列が同一でない組合わせ図柄である。
【００５１】
メイン制御装置８３は大当り図柄および外れ図柄を設定すると、図柄制御装置８８に変動表示コマンドおよび変動表示データを送信する。この変動表示データは大当り図柄の設定結果および外れ図柄の設定結果を有するものであり、図柄制御装置８８は変動表示コマンドおよび変動表示データを検出すると、図柄表示装置４３の各列の図柄を変動させる。この変動は各列の図柄が移動しながら変化することを称するものであり、各列の図柄の移動方向は上から下であり、各列の図柄の変化順序は「１」→「２」→「３」……「１１」→「１２」→「１」…のループ状である。
【００５２】
図柄制御装置８８は左図柄，中図柄，右図柄の変動開始から所定時間が経過したことを検出すると、左図柄，右図柄，中図柄を当該順序で変動停止させる。これら各列の図柄の変動停止はメイン制御装置８３からの設定図柄で行われるものであり、３列の図柄の変動停止状態での組合せによって遊技者に大当りおよび外れが報知される。
【００５３】
図柄表示装置４３に大当り図柄が表示されたときにはメイン制御装置８３が大当り遊技を開始する。この大当り遊技は大入賞口４７の扉４８を開放し、大入賞口４７内にパチンコ球が入賞すること許容する遊技者に有利な状態を発生させるものであり、大入賞口４７は上限個（例えば１５個）のパチンコ球が入賞する個数条件または開放時間が上限値（例えば２７秒）に達する時間条件が満足されるまで開放状態に保持される。この開放動作は大当りラウンド動作と称されるものであり、大当り遊技は大当りラウンド動作の繰返し回数が上限値に達することに基づいて終了する。
【００５４】
上記第１実施例によれば、メイン基板ボックス７２をメインセット５３に対してロックおよびロック解除する操作キー７９を外部に露出しないように設けたので、操作キー７９の所在を認識している検査者は操作キー７９を操作することができ、操作キー７９の所在を認識していない違法行為者は操作キー７９を操作することができない。このため、検査者はメイン基板ボックス７２を取外すことができ、違法行為者はメイン基板ボックス７２を取外すことができないので、メイン基板８２の効率的な検査が可能になる上にメイン基板８２の不正交換に対するセキュリティ性が高まる。
【００５５】
また、操作キー７９を上皿板４の後方に配置したので、メイン基板ボックス７２を取外すには上皿板４を前方へ回動操作することに基づいて操作キー７９を開放し、操作キー７９をロック状態からロック解除状態に操作しなければならない。このため、メイン基板ボックス７２を交換しようとしたときには上皿板４を前方へ回動操作する必要ができるので、メイン基板ボックス７２の交換作業が周囲の人に目立つようになる。従って、メイン基板ボックス７２の交換作業に周囲の人が容易に気付くようになるので、メイン基板８２の不正交換に対するセキュリティ性が一層高まる。
【００５６】
また、上皿板４を回動不能にロックするロック状態および上皿板４のロックを解除するロック解除状態に操作可能な操作プレート１３を設けた。このため、上皿板４を回動操作するには操作プレート１３をロック解除状態に操作しなければならないので、上皿板４の回動操作が面倒になる。従って、メイン基板ボックス７２の交換作業が一層困難になるので、メイン基板８２の不正交換に対するセキュリティ性が一層高まる。
【００５７】
また、操作プレート１３の操作を許容する開放状態および操作プレート１３の操作を禁止する閉鎖状態に回動可能なガラス窓３４を設けたので、操作プレート１３を操作するにはガラス窓３４を前方に回動した開放状態に操作し、操作プレート１３を操作可能に開放しなければならない。このため、メイン基板ボックス７２を交換しようとしたときには上皿板４に加えてガラス窓３４を開放する必要ができるので、メイン基板ボックス７２の交換作業が周囲の人に一層目立つようになる。従って、メイン基板ボックス７２の交換作業に周囲の人が一層容易に気付くようになるので、メイン基板８２の不正交換に対するセキュリティ性が一層高まる。
【００５８】
また、ガラス窓３４を開放状態に回動操作するには枠鍵３５を鍵で操作し、ガラス窓３４をロック解除状態に切換えなければならないように構成したので、ガラス窓３４の開放操作に手間がかかるようになる。このため、メイン基板ボックス７２の交換作業が一層面倒になるので、メイン基板８２の不正交換に対するセキュリティ性が一層高まる。
【００５９】
尚、上記第１実施例においては、上皿板４の後方に操作キー７９を設けたが、これに限定されるものではなく、例えばガラス窓３４の後方に操作キー７９を設け、ガラス窓３４のうち操作キー７９の前方に対応する部分に着色や目張り等の被覆を施すことに基づいて操作キー７９を前方から視覚的に認識不能にしても良い。この構成の場合、メイン基板ボックス７２を着脱するには前面扉２を開放し、しかも、ガラス窓３４を開放して操作キー７９を操作しなければならなくなるので、メイン基板ボックス７２の不正交換が周囲の人に目立つようになる。
【００６０】
また、上記第１実施例においては、上皿板４が開放されたことを人が目で検出する構成としたが、これに限定されるものではなく、例えば電気的に検出する構成としても良い。具体的には上皿板４の開閉に応じて状態が切換わる皿板スイッチを設け、皿板スイッチからの出力信号に基づいて上皿板４の開放が検出されたときにはランプ４１を点灯させたり、ホールコンピュータのディスプレイにメッセージを表示する。このホールコンピュータは外部管理装置に相当するものであり、図柄変動回数の集計機能および出球数の集計機能等、遊技情報の管理機能を有している。この場合、皿板スイッチに加え、前面扉２の開閉に応じて状態が切換わる扉スイッチを設け、扉スイッチからの出力信号に基づいて前面扉２の開放が検出されたときにはランプ４１を点灯させたり、ホールコンピュータのディスプレイにメッセージを表示しても良い。
【００６１】
次に本発明の第２実施例を図１３〜図１６に基づいて説明する。センタカバー５２の後面には、図１５に示すように、左右両端部に位置してキー孔７６が形成されており、各キー孔７６のシャフト挿通部７８内には、図１３に示すように、円柱状のシャフト９８が挿入されている。これら各シャフト９８はボックスベース７０の前面に形成されたものであり、各シャフト９８には操作キー７９が装着されている。これら各操作キー７９は操作キー７９を通してシャフト９８にピン９９を装着することに基づいてシャフト９８に対して回動可能にされたものであり、摩擦抵抗力で現在位置に保持され、遊技盤１８により前方から視覚的に認識不能に覆われている。尚、センタカバー５２および遊技盤１８は基台および第１のカバー部材に相当するものである。
【００６２】
両操作キー７９はメイン基板ボックス７２の取外しを許容および禁止するものであり、両操作キー７９が垂直なロック状態にあるときには、図１３に示すように、センタカバー５２の後板に係合し、メイン基板ボックス７２の取外しが禁止される。また、両操作キー７９を水平なアンロック状態に回動操作した後にメイン基板ボックス７２を引張ると、両操作キー７９が両キー孔７６を通して抜取られ、メイン基板ボックス７２がセンタカバー５２から取外される。このメイン基板ボックス７２の詳細な取外し手順を下記▲１▼〜▲４▼に示す。
【００６３】
▲１▼枠鍵３５を鍵で操作し、前面扉２のロックを解除する。このロック解除状態で前面扉２を前方から開放状態に回動操作し、メイン基板ボックス７２を前方から着脱可能な状態に開放する。
▲２▼両ロックプレート５６を水平なロック解除状態に回動操作し、センタカバー５２のロックを解除する。このロック解除状態でセンタカバー５２を開放状態に回動操作し、両操作キー７９を前方から操作可能な状態に開放する。尚、ロックプレート５６は第２の操作部材に相当するものである。
▲３▼両操作キー７９を前方から水平なロック解除状態に操作し、メイン基板ボックス７２を取外す。
【００６４】
上記第２実施例によれば、メイン基板ボックス７２をセンタカバー５２に対してロックおよびロック解除する複数の操作キー７９を外部（前方）に露出しないように設けたので、複数の操作キー７９の所在を認識している検査者は複数の操作キー７９を操作することができ、複数の操作キー７９の所在を認識していない違法行為者は複数の操作キー７９を操作することができない。このため、検査者はメイン基板ボックス７２を取外すことができ、違法行為者はメイン基板ボックス７２を取外すことができないので、メイン基板８２の効率的な検査が可能になる上にメイン基板８２の不正交換に対するセキュリティ性が高まる。
【００６５】
また、複数の操作キー７９を遊技盤１８の後方に配置したので、メイン基板ボックス７２を取外すにはセンタカバー５２を回動操作することに基づいて複数の操作キー７９を開放し、複数の操作キー７９をロック状態からロック解除状態に操作しなければならない。このため、メイン基板ボックス７２を交換しようとしたときにはセンタカバー５２を回動操作する必要ができるので、メイン基板ボックス７２の交換作業が周囲の人に目立つようになる。従って、メイン基板ボックス７２の交換作業に周囲の人が容易に気付くようになるので、メイン基板８２の不正交換に対するセキュリティ性が一層高まる。
【００６６】
また、センタカバー５２を回動不能にロックするロック状態およびセンタカバー５２をロック解除するロック解除状態に操作可能な複数のロックプレート５６を設けた。このため、センタカバー５２を回動操作するには複数のロックプレート５６をロック解除状態に操作しなければならないので、センタカバー５２の回動操作が面倒になる。従って、メイン基板ボックス７２の交換作業が一層困難になるので、メイン基板８２の不正交換に対するセキュリティ性が一層高まる。
【００６７】
尚、上記第２実施例においては、センタカバー５２の開放を人が目で検出する構成としたが、これに限定されるものではなく、例えば電気的に検出する構成にしても良い。具体的にはセンタカバー５２の開閉に応じて状態が切換わるカバースイッチを設け、カバースイッチからの出力信号に基づいてセンタカバー５２の開放が検出されたときにはランプ４１を点灯させたり、ホールコンピュータのディスプレイにメッセージを表示する。この場合、カバースイッチに加えて扉スイッチを設け、扉スイッチからの出力信号に基づいて前面扉２の開放が検出されたときにはランプ４１を点灯させたり、ホールコンピュータのディスプレイにメッセージを表示しても良い。
【００６８】
また、上記第２実施例においては、センタカバー５２をメインセット５３に回動可能に装着したが、これに限定されるものではなく、例えば後方からセンタカバー５２を通してメインセット５３に複数の捩子を締込むことに基づいて着脱可能に装着しても良い。この構成の場合、複数の操作キー７９を操作するには複数の捩子を取外し、センタカバー５２をメインセット５３から取外すことに基づいて複数の操作キー７９を操作可能に開放する。即ち、複数の捩子がセンタカバー５２の遊技盤１８に対する相対的な移動操作をロックおよびロック解除する第２の操作部材に相当する。
【００６９】
次に本発明の第３実施例を図１７に基づいて説明する。前面扉２にはメインセット５３が左側辺部の垂直な軸（図示せず）を中心に回動可能に装着されている。また、前面扉２の後面にはロック機構（図示せず）が装着されている。このロック機構はメインセット５３を前面扉２の後面を覆う閉鎖状態にロックするものであり、メインセット５３はロック機構の操作部材を操作することに基づいてロック解除される。
【００７０】
メインセット５３には複数のキー孔７６が形成されている。これら複数のキー孔７６内には複数の操作キー７９が挿入されており、複数の操作キー７９は前面扉２により前方から視覚的に認識不能に覆われている。これら複数の操作キー７９はメイン基板ボックス７２に装着されたものであり、メイン基板ボックス７２は複数の操作キー７９が垂直なロック状態に回動操作されることに基づいてメインセット５３にロックされている。尚、メインセット５３および前面扉２は基台および第１のカバー部材に相当するものである。
【００７１】
次にメイン基板ボックス７２の取外し手順について説明する。
▲１▼枠鍵３５を鍵で操作し、前面扉２のロックを解除する。このロック解除状態で前面扉２を前方から開放状態に回動操作し、メインセット５３を前方に露出させる。
▲２▼メインセット５３のロック機構を操作し、メインセット５３のロックを解除する。このロック解除状態でメインセット５３を前面扉２に対して相対的に回動操作し、複数の操作キー７９を前方から操作可能な状態に開放する。
▲３▼複数の操作キー７９を前方から水平なロック解除状態に操作し、メイン基板ボックス７２を取外す。
【００７２】
尚、上記第３実施例においては、メインセット５３を前面扉２に回動可能に装着したが、これに限定されるものではなく、例えば後方からメインセット５３を通して前面扉２に複数の捩子を締込むことに基づいて着脱可能に装着しても良い。この構成の場合、複数の操作キー７９を操作するには複数の捩子を取外し、メインセット５３を前面扉２から取外すことに基づいて複数の操作キー７９を操作可能に開放する。即ち、複数の捩子がメインセット５３の前面扉２に対する相対的な移動操作をロックおよびロック解除する第２の操作部材に相当する。
【００７３】
また、上記第１〜第３実施例においては、大当りの発生に連動して大当り動作が行われる１種のパチンコ機に本発明を適用したが、これに限定されるものではなく、例えば２種のパチンコ機または３種のパチンコ機に適用しても良い。前者の２種のパチンコ機はパチンコ球が始動口内に入賞することに基づいて電動式の中央役物を所定時間だけ開放するものであり、中央役物の開放時に中央役物内の特定入賞口にパチンコ球が入賞することに基づいて大当りが発生する。後者の３種のパチンコ機は図柄表示装置に特定図柄が表示されることに基づいて特定入賞口が開放されるものであり、特定入賞口の開放時に特定入賞口内にパチンコ球が入賞することに基づいて大当りが発生する。
【図面の簡単な説明】
【図１】本発明の第１実施例を示す図（ａは図７のＸ線に沿う断面図、ｂはキー孔を拡大して示す前面図）
【図２】メイン基板ボックスを示す図（ａは後面図、ｂは側面図、ｃは上面図）
【図３】メイン基板ボックスを示す前面図
【図４】上皿板のロック機構を示す側面図
【図５】機構盤を示す図（ａは前面図、ｂは側面図、ｃは上面図）
【図６】全体構成を上皿板の除去状態で示す前面図
【図７】全体構成を示す図（ａは前面図、ｂは側面図）
【図８】全体構成をメイン基板ボックスの除去状態で示す後面図
【図９】全体構成を示す後面図
【図１０】センタカバーを示す上面図
【図１１】打球装置および打球槌を示す図（ａは前面図、ｂは上面図）
【図１２】電気的構成を示すブロック図
【図１３】本発明の第２実施例を示す図（図１６のＸ線に沿う断面図）
【図１４】メイン基板ボックスを示す図（ａは後面図、ｂは側面図、ｃは上面図）
【図１５】全体構成をメイン基板ボックスの取外し状態で示す後面図
【図１６】全体構成をメイン基板ボックスの装着状態で示す後面図
【図１７】本発明の第３実施例を示す図（メイン基板ボックスの装着状態を示す断面図）
【図１８】従来構成を示す図
【符号の説明】
２は前面扉（第１のカバー部材）、４は上皿板（第１のカバー部材）、１３は操作プレート（第２の操作部材）、１８は遊技盤（第１のカバー部材）、３４はガラス窓（第２のカバー部材）、５２はセンタカバー（基台）、５３はメインセット（基台）、５６はロックプレート（第２の操作部材）、７２はメイン基板ボックス（制御基板ボックス）、７９は操作キー（第１の操作部材）、８２はメイン基板（制御基板）を示す。
【図１】
2004033242.tif 000003
【図２】
2004033242.tif 000004
【図３】
2004033242.tif 000005
【図４】
2004033242.tif 000006
【図５】
2004033242.tif 000007
【図６】
2004033242.tif 000008
【図７】
2004033242.tif 000009
【図８】
2004033242.tif 000010
【図９】
2004033242.tif 000011
【図１０】
2004033242.tif 000012
【図１１】
2004033242.tif 000013
【図１２】
2004033242.tif 000014
【図１３】
2004033242.tif 000015
【図１４】
2004033242.tif 000016
【図１５】
2004033242.tif 000017
【図１６】
2004033242.tif 000018
【図１７】
2004033242.tif 000019
【図１８】
2004033242.tif 000020